(57)【要約】      （修正有）【課題】耐久性を向上させることができる洗濯機用密封装置を供給する。【解決手段】洗濯機用密封装置１は、環状の弾性体から成る本体２と、環状の金属から成る補強環３とを備える。本体は、ケーシング７２の開口に内嵌されるガスケット部４と、本体に挿通されるシャフト７１の外表面に摺動可能に密接するシール部５とを備える。シール部は、第１のリップ部５１と、第２のリップ部５２と、突起部５３とを備え、また、ダストリップ５７を備える。ダストリップは、シール部において、第１のリップ部のモータ側の端部から軸線ｘ方向に向かって延設されている延設片である。このダストリップにより、モータ側からシール部に異物が進入し、異物によるリップ部の摩耗の発生を抑制することができる。また環状の突起部５３を備えるので、グリース７を第１のリップ部に安定して提供することができる。【選択図】図２
0003193462.tif 000002
【実用新案登録請求の範囲】
【請求項１】
モータの動力を伝達して洗濯槽を回動可能にするシャフトと、洗濯槽を収容するケーシングとの間を密封するための洗濯機用密封装置であって、
軸線を中心とする環状の本体を備え、
前記本体は、前記ケーシングに取り付けられる、軸線を中心とする環状のガスケット部と、前記シャフトの外表面に摺動可能に密接するシール部とを備え、
前記シール部は、前記モータの側の端部に、前記軸線を中心とする環状のダストリップを備えることを特徴とする洗濯機用密封装置。
【請求項２】
前記ダストリップは、前記軸線に向かって延びる延設片であることを特徴とする請求項１記載の洗濯機用密封装置。
【請求項３】
前記ダストリップは、前記モータの側に向かって延びる延設片であることを特徴とする請求項２記載の洗濯機用密封装置。
【請求項４】
前記シール部は、前記シャフトの外表面に摺動可能に密接する、前記軸線を中心とする環状の第１のリップ部と、該第１のリップ部と共にグリースが充填及び保持される空間を形成するために、前記第１のリップ部に対して前記洗濯槽の側に設けられた前記軸線を中心とする環状の突起部とを備えることを特徴とする請求項１乃至３のいずれか１項記載の洗濯機用密封装置。
【請求項５】
前記第１のリップ部は、前記軸線に向かって凸の突条体を有し、該突条体の前記軸線に沿う面における断面の形状がくさび形状であることを特徴とする請求項４記載の洗濯機用密封装置。
【請求項６】
前記シール部は、前記突起部に対して前記洗濯槽の側に、前記シャフトの外表面に摺動可能に密接する、前記軸線を中心とする環状の第２のリップ部を備えることを特徴とする請求項４又は５記載の洗濯機用密封装置。
【請求項７】
前記第２のリップ部は、前記洗濯槽の側に向かって延びる延設片であることを特徴とする請求項６記載の洗濯機用密封装置。
【考案の詳細な説明】
【技術分野】
【０００１】
本考案は、密封装置に関し、特に、洗濯機に使用される洗濯機用密封装置に関する。
【背景技術】
【０００２】
従来から、洗濯機において、ケーシングと洗濯槽を回動させるシャフトとの間の間隙を密封するために密封装置が使用されている。図３は、この種の従来の密封装置の構造を示すための断面図である。
【０００３】
図３に示すように、従来の洗濯機用密封装置１００は、モータにより駆動されるシャフト１０１と、洗濯槽１０２のケーシング１０３との間の間隙を密封するために、この間隙に設けられている。具体的には、従来の洗濯機において、シャフト１０１は、洗濯機のハウジング１０４に支持されているベアリング１０５に回動可能に支持されており、ケーシング１０３の開口１０６を介してケーシング１０３内に延びている。洗濯槽１０２は、ケーシング１０３の内部に回動可能に設けられていると共に、シャフト１０１に相対回動不能に固定されている。洗濯機用密封装置１００は、軸線を中心とする環状の部材であり、図３に示すように、外周側に環状のガスケット部１１０と、内周側にシール部１２０とを備える。ガスケット部１１０は、ケーシング１０２の開口１０６に内嵌されており、洗濯機用密封装置１００は、ハウジング１０４に内嵌されて固定されている。
【０００４】
シール部１２０は、ゴム材等の弾性体から成り、第１のリップ部１２１と、第１のリップ部１２１の上方に設けられた第２のリップ部１２２とを備える。第１のリップ部１２１は、軸線を中心とする環状の突条体であり、図３に示すように、その軸線に沿う断面はくさび形状を呈している。そして、第１のリップ部１２１は、その内周の先端部において、シャフト１０１の表面に液密に当接している。シール部１２０において第１のリップ部１２１と対向する位置には環状のばね１２３が設けられており、このばね１２３により第１のリップ部１２１はシャフト１０１に押圧されている。第２のリップ部１２２は、同様に軸線を中心とする環状の延設片であり、上方且つ内側に向かって斜めに延びており、その先端部において、シャフト１０１の表面に液密に当接している。
【０００５】
また、シール部１２０は、第１のリップ部１２１と第２のリップ部１２２との間であって、第１のリップ部１２１の近傍にグリースリップとしての突起部１２４を有している。突起部１２４は、軸線を中心とする環状の部分であり、上方且つ内側に向かって斜めに延びており、第１のリップ部１２１と空間１０７を形成している。この空間１０７には、グリースが充填されており、このグリースは、シャフト１０１と第１のリップ部１２１との間の当接部を潤滑している。
【０００６】
例えば自動車に用いられるオイルシール等においては、オイル側（液体側）にばね及び第１のリップ部が配設されるが、洗濯機用密封装置においては、上述のように、オイルシールとは逆に、第１のリップ部１２１及びばね１２３は大気側に設けられている。これは、第１のリップ部１２１を潤滑するグリースが洗濯水に混入することにより、洗濯物を汚してしまうことを防止するためである。
【考案の概要】
【考案が解決しようとする課題】
【０００７】
しかしながら、上記従来の洗濯機用密封装置１００においては、大気側、つまりモータ側に第１のリップ部１２１が曝されており、モータ側からダスト等の異物が第１のリップ部１２１に付着していた。このため、第１のリップ部１２１とシャフト１０１との当接部に異物が進入し、この異物により第１のリップ部１２１の摩耗が加速され、第１のリップ部１２１の耐久性は低くなっていることが問題となっていた。
【０００８】
上記課題を解決するために、本考案は、耐久性を向上させることができる洗濯機用密封装置を供給することを目的とする。
【課題を解決するための手段】
【０００９】
上記目的を達成するために、本考案に係る洗濯機用密封装置は、モータの動力を伝達して洗濯槽を回動可能にするシャフトと、洗濯槽を収容するケーシングとの間を密封するための洗濯機用密封装置であって、軸線を中心とする環状の本体を備え、前記本体は、前記ケーシングに取り付けられる、軸線を中心とする環状のガスケット部と、前記シャフトの外表面に摺動可能に密接するシール部とを備え、前記シール部は、前記モータの側の端部に、前記軸線を中心とする環状のダストリップを備えることを特徴とする。
【００１０】
本考案に係る洗濯機用密封装置において、前記ダストリップは、前記軸線に向かって延びる延設片である。
【００１１】
本考案に係る洗濯機用密封装置において、前記ダストリップは、前記モータの側に向かって延びる延設片である。
【００１２】
本考案に係る洗濯機用密封装置において、前記シール部は、前記シャフトの外表面に摺動可能に密接する、前記軸線を中心とする環状の第１のリップ部と、該第１のリップ部と共にグリースが充填及び保持される空間を形成するために、前記第１のリップ部に対して前記洗濯槽の側に設けられた前記軸線を中心とする環状の突起部とを備える。
【００１３】
本考案に係る洗濯機用密封装置において、前記第１のリップ部は、前記軸線に向かって凸の突条体を有し、該突条体の前記軸線に沿う面における断面の形状がくさび形状である。
【００１４】
本考案に係る洗濯機用密封装置において、前記シール部は、前記突起部に対して前記洗濯槽の側に、前記シャフトの外表面に摺動可能に密接する、前記軸線を中心とする環状の第２のリップ部を備える。
【００１５】
本考案に係る洗濯機用密封装置において、前記第２のリップ部は、前記洗濯槽の側に向かって延びる延設片である。
【考案の効果】
【００１６】
本考案に係る洗濯機用密封装置によれば、シール部がモータの側の端部に軸線を中心とする環状のダストリップを備えるので、このダストリップにより、モータ側からシール部に異物が進入することを抑制することができる。このため、異物によるリップ部の摩耗の発生を抑制することができ、本密封装置の耐久性を向上させることができる。
【００１７】
本考案に係る洗濯機用密封装置によれば、ダストリップは軸線に向かって延びる延設片であるので、モータ側からシール部に異物が進入することを効果的に抑制することができる。
【００１８】
本考案に係る洗濯機用密封装置によれば、ダストリップは、軸線に向かって且つモータの側に向かって延びる延設片であるので、モータ側からシール部に異物が進入することをより効果的に抑制することができる。
【００１９】
本考案に係る洗濯機用密封装置によれば、シール部は、環状の第１のリップ部と、第１のリップ部と共にグリースを充填及び保持させるための環状の突起部とを備えるので、グリースを第１のリップ部に安定して提供することができる。このため、第１のリップ部とシャフトとの間を潤滑することができ、本密封装置の耐久性を向上させることができる。
【００２０】
本考案に係る洗濯機用密封装置によれば、第１のリップ部は、軸線に向かって凸の突条体を有し、この突条体の断面の形状はくさび形状であるので、シール部とシャフトとの間を効果的に密封することができる。
【００２１】
本考案に係る洗濯機用密封装置によれば、シール部は、突起部に対して洗濯槽の側に環状の第２のリップ部を備えるので、シール部とシャフトとの間をより確実に密封することができる。
【００２２】
本考案に係る洗濯機用密封装置によれば、第２のリップ部は、洗濯槽の側に向かって延びる延設片であるので、第２のリップ部のシャフトへの追従性を向上させることができる。
【図面の簡単な説明】
【００２３】
【図１】本考案の実施の形態に係る洗濯機用密封装置の概略構成を示す、密封装置の軸線に沿った断面における断面図である。
【図２】洗濯機用密封装置が洗濯機に組付けられた状態を示すための部分断面図である。
【図３】従来の洗濯機用密封装置の構造を示すための断面図である。
【考案を実施するための形態】
【００２４】
以下、本考案の実施の形態について図面を参照しながら説明する。
【００２５】
図１は、本考案の実施の形態に係る洗濯機用密封装置の概略構成を示す、密封装置の軸線に沿った断面における断面図である。
【００２６】
図１に示すように、本考案の実施の形態に係る洗濯機用密封装置１（以下、単に密封装置ともいう。）は、軸線ｘを中心とする環状の弾性体から成る本体２と、軸線ｘを中心とする環状の金属から成る補強環３とを備える。本体２の弾性体としては、例えば、各種ゴム材があり、例えば、ニトリルゴム（ＮＢＲ）、水素添加ニトリルゴム（Ｈ−ＮＢＲ）、シリコーンゴム等の合成ゴムである。補強環３の金属としては、例えば、ステンレス鋼やＳＰＣＣ（冷間圧延鋼）がある。
【００２７】
本体２は、図示しないケーシングの開口に内嵌されるガスケット部４と、本体２に挿通されるシャフト（不図示）の外表面に摺動可能に密接するシール部５とを備える。
【００２８】
ガスケット部４は、本体２において外周側にある、軸線ｘを中心とする円筒状の環状の部分である。ガスケット部４の外周側の周面である外周面４１は、図示しないケーシングの開口の寸法に応じた厚さ（径方向寸法）を有する締め代部４２に基づいて画定されている。後述するように、ガスケット部４の外周面４１が、ケーシングの開口の内周面に密接することにより、密封装置１とケーシングとの間が密封される。ここで、説明の便宜上、軸線ｘに垂直な方向において、軸線ｘから離れる方向（図１の矢印ａ方向）を外周側と、軸線ｘに近づく方向（図１の矢印ｂ方向）を内周側とする。また、後述するように、図１において上側が洗濯槽側であり、下側がモータ側である。
【００２９】
シール部５は、本体２において内周側にある、軸線ｘを中心とする円筒状の環状の部分であり、図１に示すように、第１のリップ部５１と、第２のリップ部５２と、突起部５３とを備える。
【００３０】
第１のリップ部５１は、図１に示すように、軸線ｘを含む断面（以下、単に断面ともいう）における形状が、内周方向に凸のくさび形状であり、軸線ｘを中心とする環状の突条体である。第１のリップ部５１は、シール部５のモータ側の端部に設けられている。後述するように、第１のリップ部５１の内周側の先端部であるリップ先端部５４が、シャフトに当接され、第１のリップ５１とシャフトとの間が密封される。
【００３１】
第２のリップ部５２は、軸線ｘを中心とする環状の部分であり、シール部５の洗濯槽側の端部から内周側及び洗濯槽側方向に延設されている延設片である。具体的には、第２のリップ部５２は、シール部５の洗濯槽側の端部から洗濯槽側に向かって漸次縮径されて延びる円錐筒状の部分である。後述するように、組立状態において、第２のリップ部５２の先端部分は、シャフトに当接し、第２のリップ５２とシャフトとの間が密封される。また、第２のリップ部５２は、延設片であるため、シャフトへの追従性を高くすることができる。
【００３２】
突起部５３は、第１のリップ部５１と第２のリップ部５２との間に設けられている、軸線ｘを中心とする環状の部分であり、内周側及び第２のリップ部５２側方向に延設されている延設片である。具体的には、突起部５３は、シール部５において第１のリップ部５１及び第２のリップ部５２の間から第２のリップ部５２側に向かって漸次縮径されて延びる円錐筒状の部分である。また、後述するように、組立状態において、突起部５３の先端部分は、シャフトに当接する。
【００３３】
このように、第１のリップ部５１と突起部５３との間には、環状の空間５５が形成されている。この環状の空間５５には、後述するように、組立状態において、グリースが充填される。
【００３４】
シール部５において、第１のリップ部５１に対向する内周側面には、環状の凹部５６が形成されており、凹部５６には、環状のばね６が収容されており、第１のリップ部５１を内周方向に付勢している。
【００３５】
また、シール部５は、ダストリップ５７を備える。ダストリップ５７は、シール部５において、第１のリップ部５１のモータ側の端部から軸線ｘ方向に向かって延設されている延設片である。例えば、ダストリップ５７は、シール部５において、第１のリップ部５１のモータ側の端部からモータ側に向かって漸次縮径されて延びる円錐筒状の部分である。また、後述するように、組立状態において、ダストリップ５７の先端部分は、シャフトに当接するようにその形状及びサイズが設定されているが、ダストリップ５７は、先端部分がシャフトに当接しないようになっていてもよい。
【００３６】
補強環３は、本体２に覆われて、本体２と一体になっており、本体２を補強している。補強環３の断面は、略Ｌ字状であり、本体２の断面形状に対応した断面形状を有している。具体的には、補強環３の断面形状は、ガスケット部４の断面形状に対応しており、ガスケット部４や、ガスケット部４とシール部５との間の接続部分を補強している。なお、補強環３は、本体２を補強できる構造であれば、一部分が本体２によって覆われていても、全体が本体２によって覆われていてもよい。
【００３７】
補強環３は、例えばプレス加工や鍛造によって製造され、本体２は成形型を用いて加硫成形によって成形される。この加硫成形の際に、補強環３は成形型の中に配置されており、補強環３と本体２とが一体的に成形される。
【００３８】
次いで、上記構成を有する洗濯機用密封装置１の洗濯機へ組付られた組付状態について説明する。図２は、洗濯機用密封装置１が洗濯機に組付けられた状態を概略的に示すための部分断面図である。
【００３９】
洗濯機用密封装置１は、図２に示すように、図示しない洗濯機のモータにより駆動されるシャフト７１と、図示しない洗濯槽のケーシング７２との間の間隙を密封するために、この間隙に設けられている。シャフト７１は、洗濯機において図示しないベアリング等を介して回動可能に支持されており、ケーシング７２の開口７３を介してケーシング７２内に延びている。
【００４０】
密封装置１は、ガスケット部４が、ケーシング７２の開口７３に内嵌されて、ケーシング７２に固定されている。ガスケット部４の締め代部４２は圧縮されて、外周面４１がケーシング７２の開口７３の内周面７４に密着しており、ガスケット部４とケーシング７２との間の密封がなされている。
【００４１】
シール部５において、第１のリップ部５１及び第２のリップ部５２は、各々の先端がシャフト７１の外表面７５に液密に当接しており、第１のリップ部５１及び第２のリップ部５２とシャフト７１との間が夫々密封されている。これにより、２段の洗濯水に対する密封がなされている。また、突起部５３の先端部はシャフト７１の外表面７５に当接している。
【００４２】
上述のように、第１のリップ部５１と突起部５３とによって画成されている空間５５は、シャフト７１の外表面７５によって封止されている。この空間５５の内部には、グリース７が充填されており、この充填されたグリース７は、第１のリップ部５１のリップ先端部５４とシャフト７１との当接部を潤滑している。
【００４３】
また、シール部５には、第１のリップ部５１のモータ側にダストリップ５７が設けられている。このため、ダストリップ５７は、第１のリップ部５１とシャフト７１との間にモータ側から異物が進入すること防止することができる。また、ダストリップ５７は、モータ側方向であって内周側方向に斜めに、シャフト７１の外表面７５に向かって延びており、第１のリップ部５１とシャフト７１との間にモータ側から異物が進入することを効果的に防止している。
【００４４】
上述のように、本考案の実施の形態に係る洗濯機用密封装置１によれば、ダストリップ５７がモータ側から第１のリップ部５１方向への異物の進入を抑制しているので、異物による第１のリップ部５１の摩耗の発生を抑制することができ、密封装置１の耐久性を向上させることができる。
【００４５】
なお、上記本考案の実施の形態に係る洗濯機用密封装置１においては、シール部５は、第１のシール部５１及び第２のシール部５２の２つのシール部を備えるものとしたが、シール部５は、第２のシール部５２を備えないものであってもよい。また、突起部５３は、シャフト７１に当接しているものとしたが、突起部５３は、シャフト７１との間に間隙を有していてもよい。
【００４６】
以上、本考案の実施の形態について説明したが、本考案は上記本考案の実施の形態に限定されるものではなく、本考案の概念及び実用新案登録請求の範囲に含まれるあらゆる態様を含む。また、上述した課題及び効果の少なくとも一部を奏するように、各構成を適宜選択的に組み合わせてもよい。例えば、上記実施の形態における、各構成要素の形状、材料、配置、サイズ等は、本考案の具体的使用態様によって適宜変更され得る。具体的には、ガスケット部４やシール部５、補強環３の形状は上述の形状に限るものではない。また、本考案の奏する効果を利用し得るすべての構成に対して、本考案は適用可能である。
【符号の説明】
【００４７】
１，１００  洗濯機用密封装置
２  本体
３  補強環
４，１１０  ガスケット部
５，１２０  シール部
６，１２３  ばね
７  グリース
４１  外周面
４２  締め代部
５１，１２１  第１のリップ部
５２，１２２  第２のリップ部
５３，１２４  突起部
５４  リップ先端部
５５，１０７  空間
５６  凹部
５７  ダストリップ
７１，１０１  シャフト
７２，１０３  ケーシング
７３，１０６  開口
７４  内周面
７５  外表面
１０２  洗濯槽
１０４  ハウジング
１０５  ベアリング
ｘ  軸線
【図１】
0003193462.tif 000003
【図２】
0003193462.tif 000004
【図３】
0003193462.tif 000005